(57)【要約】【課題】前後調整機構におけるランナー軸の前後方向のがたつきを防止して、戸パネルの前後位置の調整を迅速にしかも適正に行え、さらにランナー本体の走行状態を安定化できるランナーユニットを提供する。【解決手段】戸パネル３に固定される保持ケース９と、保持ケース９に着脱される調整ハウジング１０と、調整ハウジング１０の内部に配置されるランナー台１１を有する。ランナー台１１と調整ハウジング１０との間に設けられる前後調整機構は、基軸４１で前後揺動可能に軸支されるランナー台１１と、ランナー台１１で軸支される雌ねじ体４５と、雌ねじ体４５にねじ込まれる調整ねじ４６とを含む。基軸４１は、調整ねじ４６のねじ中心軸線Ｐの前後いずれかに偏寄する状態で配置する。調整ねじ４６でランナー台１１を基軸４１の回りに揺動操作して、ランナー軸１２の前後位置を調整できるようにする。【選択図】図１
2008303653.tif 000002
【特許請求の範囲】
【請求項１】
ガイドレール（１）で移行案内されるランナー体（８）と、戸パネル（３）の側に装着される戸側ユニットとからなり、
戸側ユニットが、戸パネル（３）に埋設固定される保持ケース（９）と、保持ケース（９）に対して着脱可能に装着される調整ハウジング（１０）と、調整ハウジング（１０）の内部に配置されるランナー台（１１）とを含み、ランナー体（８）とランナー台（１１）とが連結軸（１２）を介して連結してあるランナーユニットであって、
ランナー台（１１）と調整ハウジング（１０）との間に戸パネル（３）の前後位置を調整する前後調整機構が設けられており、
前後調整機構は、調整ハウジング（１０）に装着した基軸（４１）で前後揺動可能に軸支されるランナー台（１１）と、ランナー台（１１）で縦軸回りに往復回動可能に軸支される雌ねじ体（４５）と、調整ハウジング（１０）の側端から雌ねじ体（４５）にねじ込まれてランナー台（１１）を基軸（４１）の回りに揺動操作する調整ねじ（４６）とを含み、
前記基軸（４１）が、調整ねじ（４６）のねじ中心軸線（Ｐ）の前後いずれかに偏寄する状態で配置してあるランナーユニット。
【請求項２】
ランナー台（１１）の揺動基端側に配置した基軸（４１）と、揺動先端側に配置した連結軸（１２）との間に雌ねじ体（４５）が配置されており、
ランナー台（１１）の前後方向への揺動変位量に対応して、ランナー台（１１）の前後面（１１ｆ・１１ｂ）が揺動基端側から揺動先端側へ向かって先すぼまり状に形成してある請求項１記載のランナーユニット。
【請求項３】
調整ハウジング（１０）の内部に、前後面が開口する収容空間（２６）が設けられており、
前記収容空間（２６）に配置したランナー台（１１）の前後方向の揺動限界を、保持ケース（９）で規定している請求項１または２記載のランナーユニット。
【請求項４】
調整ハウジング（１０）が、戸パネル（３）に埋設固定した保持ケース（９）に対してケース外側方から差し込み装填されて、保持ケース（９）と調整ハウジング（１０）との間に設けたロック機構で分離不能にロック保持されており、
ロック機構が、調整ハウジング（１０）に設けられるロックレバー（６０）と、ロックレバー（６０）に対応して保持ケース（９）に形成される係合部（２１）と、ロックレバー（６０）をロック解除操作する解除ボタン（６１）と、解除ボタン（６１）を待機姿勢へ向かって移動付勢するばね（６２）を含み、
ロックレバー（６０）は、前記係合部（２１）に落ち込み係合するロック爪（６３）と、解除ボタン（６１）で操作される受動ピン（６４）を一体に備えており、
調整ハウジング（１０）で左右スライド自在に支持される解除ボタン（６１）に、受動ピン（６４）をロックレバー（６０）の弾性に抗してロック解除操作する斜面カム（６８）が形成してある請求項１から３のいずれかに記載のランナーユニット。
【請求項５】
ランナー台（１１）の下半部に、戸パネル（３）の上下位置を調整する上下調整機構を収容する区室（３９）が下向きに開口する状態で形成されており、
ランナー台（１１）のランナー体（８）側の端面から区室（３９）にわたって上下貫通状に形成した軸支穴（４２）で連結軸（１２）が相対スライド可能に軸支してある請求項１から４のいずれかに記載のランナーユニット。
【発明の詳細な説明】
【技術分野】
【０００１】
本発明は、戸パネルの前後位置を調整するための前後調整機構を備えているランナーユニットに関する。
【背景技術】
【０００２】
本発明のランナーユニットは、ランナー台の内部に上下調整機構と前後調整機構とを設けるが、この種のランナーユニットは例えば特許文献１に公知である。そこでは、ランナー軸が組み付けられたランナー台を調整ねじで左右方向へ移動操作して、戸パネルの前後位置を調整できるようにしている。ランナー台は調整ハウジングで左右移動可能に案内支持されており、調整ハウジングの上壁と下壁には、ランナー軸の左右動作を前後動作に変換するカム溝が形成してある。調整ハウジングは、戸パネルに埋設固定した保持ケースにケース側方から差し込み装填されてビスで分離不能に固定されている。ランナー台の内部には上下調整機構も組み込まれている。
【０００３】
本発明のランナーユニットでは、前後揺動するランナー台でランナー軸を前後に揺動操作して戸パネルの前後位置を調整するが、このように、揺動体を調整要素とする前後調整機構は特許文献２に公知である。そこでは、縦向きのピン回りに前後揺動する揺動アームと、揺動アームにねじ込み装着したランナー軸を前後に変位操作するカム板と、カム板を往復操作する調整ねじなどで前後調整機構を構成している。カム板には、ランナー軸と交差する斜めのカム溝が形成してあり、カム板を調整ねじでスライド操作することにより、揺動アームおよびランナー軸をピンの回りに前後揺動させて、戸パネルの前後位置を調整できる。前後調整機構が組み込まれるランナー台の上壁には、ランナー軸用の逃げ溝が部分円弧状に形成してある。
【０００４】
既存のランナーユニットの多くは、ランナー台を保持ケースに差し込み装着するだけで、ランナー台をロック機構で取り外し不能にロック保持するが、本発明のランナーユニットに関して、ロック機構を構成するロックレバーを、ランナー台とは別体の独立部品でレバー状に構成することは、特許文献３に公知である。
【０００５】
【特許文献１】特開平０８−２１１４５号公報（段落番号００１７、図１）
【特許文献２】特開２００１−３１７２６６号公報（段落番号００２１、図１）
【特許文献３】特許３６４５８３７号公報（段落番号００３８、図１）
【発明の開示】
【発明が解決しようとする課題】
【０００６】
特許文献１のランナーユニットのように、ランナー台の内部に上下調整機構と前後調整機構を設け、さらにランナー台をハウジングに収容すると、ハウジング側の全体構造が複雑になりやすいうえ、ハウジングの上下寸法や前後寸法が大きくなるのを避けられず、例えば厚み寸法が小さな戸パネルにランナーユニットを適用できないことがある。また、ランナー台の内部の狭い空間に多くの部品を組み込む必要があるので、組立が煩雑になり多くの手間が掛かる。
【０００７】
特許文献２のランナーユニットは、カム板に形成した斜めのカム溝でランナー軸を調整位置に保持するので、ランナー軸がカム溝の内部で前後いずれかへがたつきやすく、そのため、調整ねじによる調整量と戸パネルの調整結果とに差が生じ、戸パネルを過不足なく調整するのに手間取ることがある。また、ランナー軸ががたつくことで、戸パネルを開閉するときランナー本体が蛇行するなど走行状態が不安定になりやすい。調整ねじとカム板と揺動アームを、調整ハウジングの内部に平面から見て直線列状に配置するので、調整ハウジングの左右幅寸法（奥行き寸法）が大きくなるのを避けられない。
【０００８】
本発明の目的は、前後調整機構におけるランナー軸の前後方向のがたつきを防止して、調整ねじによる調整量と戸パネルにおける調整結果とのずれを解消でき、したがって、戸パネルの前後位置の調整を迅速にしかも適正に行え、さらに、ランナー本体の走行状態を安定化して、戸パネルの開閉操作を軽快に行うことができるランナーユニットを提供することにある。本発明の目的は、戸パネルに装着される戸側ユニットの全体をコンパクトに形成して、厚みが小さな戸パネルにも支障なく適用できるランナーユニットを提供することにある。
【課題を解決するための手段】
【０００９】
本発明のランナーユニットは、ガイドレール１で移行案内されるランナー体８と、戸パネル３の側に装着される戸側ユニットとからなる。戸側ユニットは、戸パネル３に埋設固定される保持ケース９と、保持ケース９に対して着脱可能に装着される調整ハウジング１０と、調整ハウジング１０の内部に配置されるランナー台１１とを含み、ランナー本体８とランナー台１１とが連結軸１２を介して連結してある。ランナー台１１と調整ハウジング１０との間に戸パネル３の前後位置を調整する前後調整機構を設ける。前後調整機構は、調整ハウジング１０に装着した基軸４１で前後揺動可能に軸支されるランナー台１１と、ランナー台１１で縦軸回りに往復回動可能に軸支される雌ねじ体４５と、調整ハウジング１０の側端から雌ねじ体４５にねじ込まれてランナー台１１を基軸４１の回りに揺動操作する調整ねじ４６とを含む。以て、前記基軸４１を、調整ねじ４６のねじ中心軸線Ｐの前後いずれかに偏寄する状態で配置する。
【００１０】
ランナー台１１の揺動基端側に配置した基軸４１と、揺動先端側に配置した連結軸１２との間に雌ねじ体４５を配置する。ランナー台１１の前後方向への揺動変位量に対応して、ランナー台１１の前後面１１ｆ・１１ｂを揺動基端側から揺動先端側へ向かって先すぼまり状に形成する。
【００１１】
調整ハウジング１０の内部に、前後面が開口する収容空間２６を設ける。前記収容空間２６に配置したランナー台１１の前後方向の揺動限界を保持ケース９で規定する。
【００１２】
調整ハウジング１０は、戸パネル３に埋設固定した保持ケース９に対してケース外側方から差し込み装填して、保持ケース９と調整ハウジング１０との間に設けたロック機構で分離不能にロック保持する。ロック機構は、調整ハウジング１０に設けられるロックレバー６０と、ロックレバー６０に対応して保持ケース９に形成される係合部２１と、ロックレバー６０をロック解除操作する解除ボタン６１と、解除ボタン６１を待機姿勢へ向かって移動付勢するばね６２を含む。ロックレバー６０は、前記係合部２１に落ち込み係合するロック爪６３と、解除ボタン６１で操作される受動ピン６４を一体に備えている。調整ハウジング１０で左右スライド自在に支持される解除ボタン６１に、受動ピン６４をロックレバー６０の弾性に抗してロック解除操作する斜面カム６８を形成する。
【００１３】
ランナー台１１の下半部に、戸パネル３の上下位置を調整する上下調整機構を収容する区室３９を下向きに開口する状態で形成する。ランナー台１１のランナー体８側の端面から区室３９にわたって上下貫通状に形成した軸支穴４２で連結軸軸１２を相対スライド可能に軸支する。
【発明の効果】
【００１４】
本発明では、連結軸１２が連結されるランナー台１１を、調整ハウジング１０に装着した基軸４１で前後揺動可能に軸支し、ランナー台１１に設けた雌ねじ体４５に対して調整ねじ４６を締緩操作することにより、ランナー台１１を前後に揺動変位させて、連結軸１２と戸パネル３との前後位置を調整できるようにした。
【００１５】
このように、連結軸１２を軸支するランナー台１１を揺動操作して前後調整を行う前後調整機構によれば、連結軸１２がランナー台１１に対して全方位方向へがたつく余地がないので、前後調整機構における連結軸１２の前後方向のがたつきを一掃して、調整ねじ４６による調整量と戸パネル３における調整結果とのずれを解消でき、したがって、戸パネル３の前後位置の調整を迅速にしかも適正に行える。さらに、連結軸１２のがたつきがないので、ランナー本体８の走行状態を安定化して戸パネル３の開閉操作を軽快に行うことができるランナーユニットを提供できる。ランナー台１１を軸支する基軸４１を調整ねじ４６のねじ中心軸線Ｐの前後いずれかに偏寄配置すると、ランナー台１１が前後揺動するときの調整ねじ４６と基軸４１との動作干渉を避けながら、前後調整機構を構成する各部品を集約配置して、前後調整機構の全体をコンパクト化できる。
【００１６】
ランナー台１１の揺動基端側に配置した基軸４１と、揺動先端側に配置した連結軸１２との間に雌ねじ体４５を配置し、ランナー台１１の前後面１１ｆ・１１ｂを揺動基端側から揺動先端側へ向かって先すぼまり状に形成すると、ランナー台１１が前後揺動するときに占める前後空間を小さくして、戸パネル３に装着される戸側ユニットの全体をコンパクトに形成でき、したがって厚みが小さな戸パネル３にも支障なく適用できるランナーユニットとすることができる。雌ねじ体４５を基軸４１と連結軸１２との間に配置するので、戸側ユニットの左右幅寸法も同時に小さくできる。ランナー台１１の前後方向への揺動変位量に対応して、先の前後面１１ｆ・１１ｂを揺動基端側から揺動先端側へ向かって先すぼまり状に形成する場合には、調整ハウジング１０の内部空間を無駄なく有効に利用して、戸側ユニットの前後厚み寸法をさらに小さくできる。
【００１７】
調整ハウジング１０の内部に、前後面が開口する収容空間２６を設け、収容空間２６に配置したランナー台１１の前後方向の揺動限界を保持ケース９で規定できるようにすると、収容空間２６の前後面が壁で覆われている場合に比べて、前後壁を省略できる分だけ保持ケース９の前後厚み寸法を小さくでき、上記のようにランナー台１１の前後面１１ｆ・１１ｂを先すぼまり状に形成することと併せて、戸側ユニットの前後厚み寸法をさらに小さくして、ランナーユニットの適用対象をさらに拡大し汎用性を向上できる。
【００１８】
ロックレバー６０と、保持ケース９に形成される係合部２１と、ロックレバー６０をロック解除操作する解除ボタン６１と、解除ボタン６１を待機姿勢へ向かって移動付勢するばね６２などでロック機構を構成し、調整ハウジング１１を保持ケース９に差し込み装着した状態において、ロックレバー６０に設けたロック爪６３を保持ケース９の係合部２１でロック姿勢に保持するロック構造によれば、解除ボタン６１をばね６２に抗して押し込み操作することで、ロックレバー６０をロック解除状態に切り換えて、調整ハウジング１１を保持ケース９から抜き出し操作できる。そのとき、ロックレバー６０の受動ピン６４を、解除ボタン６１に設けた斜面カム６８で変位操作して、ロックレバー６０をロック解除姿勢に切り換えるので、より小さな力でロックレバー６０をロック解除操作でき、調整ハウジング１１の取り外し操作を簡便に行うことができる。
【００１９】
ランナー台１１の下半部に下向きに開口する区室３９を設け、その内部に戸パネル３の上下位置を調整する上下調整機構を収容すると、前後調整機構と上下調整機構を備えた戸側ユニットをコンパクトにまとめることができる。さらに、上下調整機構がランナー台１１とともに前後揺動するので、ランナー台１１の前後揺動動作を円滑に行いながら、任意の前後調整位置において上下調整を支障なく行うことができる。ランナー台１１のランナー体８側の端面から区室３９にわたって上下貫通状に形成した軸支穴４２で、連結軸１２を相対スライド可能に軸支すると、ランナー台１１と連結軸１２との連結部長さを充分なものとして、連結軸１２のがたつきをさらに確実に防止できる。
【発明を実施するための最良の形態】
【００２０】
（実施例）  図１ないし図９は本発明に係るランナーユニットを引戸用に適用した実施例を示す。図２において引戸は、開口枠の上枠、および下枠に設けたガイドレール１・２と、両ガイドレール１・２に沿って引き違い可能に開閉できる左右一対の戸パネル３・３と、各戸パネル２と上側のガイドレール１との間に組み込まれる本発明のランナーユニットと、各戸パネル２と下側のガイドレール２との間に組み込まれる振止めランナーユニットなどで構成してある。符号４は、各戸パネル２の一側に装着される把手である。
【００２１】
図３においてランナーユニットは、ガイドレール１で左右方向へ走行案内されるランナー本体（ランナー体）８と、戸パネルの側に装着される戸側ユニットとからなる。戸側ユニットは、戸パネル３の上隅の装着溝７に埋設固定される保持ケース９と、保持ケース９に外側方から差し込み装着される調整ハウジング１０と、調整ハウジング１０の内部に配置されるランナー台１１などで構成し、ランナー本体８とランナー台１１とをランナー軸（連結軸）１２で連結している。ガイドレール１は、断面Ｃ字状の前後レールを一体に備えたアルミニウム条材からなり、各レールに設けた下面前後のレール壁１ａ・１ａの間が下向きに開口してある。
【００２２】
ランナー本体８は、プラスチック成形品からなる左右横長の走行ブロック１４と、走行ブロック１４の左右に前後一対ずつ配置される４個のローラー１５と、これらのローラー１５を遊転自在に軸支するローラー軸１６などで構成してある。走行ブロック１４の下面には、ランナー本体８の蛇行を防ぐ規制体１７が、レール開口から下向きに突出する状態で形成してある。
【００２３】
図３において保持ケース９は、上面および外側面が開口する薄箱状のプレス成形品からなり、その内奥壁９ａの上下２箇所と、底壁９ｂの奥行き方向中央部との３箇所がビス２０で戸パネル３に締結固定してある。保持ケース９の底壁９ｂの側面開口寄りには、後述するロックレバー用の係合凹部（係合部）２１が断面四角形の上下方向の貫通穴として形成してある。また、保持ケース９の前後壁の上下中途部には、上開口の内面の張出壁２３と協同して、調整ハウジング１０の上下動を規制する位置決め溝２４が水平に切り欠き形成してある。
【００２４】
図３および図５において調整ハウジング１０は、内部にランナー台１１用の収容空間２６を備えた四角枠状のプラスチック成形品からなり、戸側ユニットの全体厚み寸法を小さくするために、収容空間２６の前後面を開口して前後壁を省略している。調整ハウジング１０の側端壁の上下に調整座２７と、調整開口２８とが形成され、調整座２７の座壁には、前後方向に長いねじ通口３０が形成してある。このように、ねじ通口３０を前後方向の長穴で形成すると、締緩操作される調整ねじ４６をねじ通口３０に沿って前後移動させて、調整ねじ４６が傾動するのを防止できる。
【００２５】
調整ハウジング１０の上壁には、指掛け凹部３１と、後述する基軸４１を軸支する穴３２と、ランナー軸１１の前後変位を許す逃げ溝３３が形成してある。逃げ溝３３は、前記基軸４１の中心を半径中心とする部分円弧状の溝で形成してある。先の上壁と対向する底壁にも、基軸４１を軸支する穴３２が形成してある。調整ハウジング１０の上面、および底壁の前後には、先の張出壁２３および位置決め溝２４と係合する、段部３４および係合壁３５が形成してある。調整ハウジング１０の底壁の下方には、後述するロック機構を収容する下部空間３６が確保してある。
【００２６】
ランナー台１１は、下半内部に下向きに開口する区室３９を有し、区室３９の上側に壁を隔てて調整空所４０を切り欠き形成したプラスチック成形品からなり、その外側端寄りの後ろ隅部分に設けた軸穴４３を、調整ハウジング１０の穴３２に固定した縦長の基軸４１で支持することにより、収容空間２６の内部において前後に揺動変位可能に軸支されている。ランナー台１１の揺動先端寄りの上面から区室３９にわたって、ランナー軸１２を相対スライド可能に軸支する軸支穴４２が上下貫通状に形成してある。
【００２７】
調整ハウジング１０とランナー台１１との間に、戸パネル３の前後位置を調整する前後調整機構を設け、ランナー台１１とランナー軸１２との間に、戸パネル３の上下位置を調整する上下調整機構を設けている。図５および図６において前後調整機構は、基軸４１で前後揺動可能に軸支されるランナー台１１と、ランナー台１１で軸支される雌ねじ体４５と、調整ハウジング１０の側端の調整座２７を介して雌ねじ体４５にねじ込まれる調整ねじ４６と、調整ねじ４６の軸方向移動を規制するリテーナ４７などで構成する。調整ねじ４６の操作頭部は、調整座２７に収容されて、戸パネル３の側端外面に臨んでいる。雌ねじ体４５は丸軸体からなり、その上下中途部に調整ねじ４６をねじ込むためのねじ穴４８が左右貫通状に形成してある。雌ねじ体４５の上下周面を、調整空所４０の上下の壁に設けた支持穴４９で軸支することにより、雌ねじ体４５は縦軸回りに往復回動できる。
【００２８】
先に説明したように、調整ハウジング１０は前後面が開口してある。そのため、雌ねじ体４５に対して調整ねじ４６を締緩操作してランナー台１１を前後揺動するとき、その前後面１１ｆ・１１ｂは図１に示すように保持ケース９の前後壁で受け止められる。このときのランナー台１１の前後方向の揺動変位量を充分なものとしながら、保持ケース９の前後厚みを小さくするために、ランナー台１１の前後面１１ｆ・１１ｂを揺動基端側から揺動先端側へ向かって先すぼまり状に形成し、揺動先端を丸めている。
【００２９】
また、調整ねじ４６によるランナー台１１の揺動操作を円滑化するために、図１に示すように基軸４１の中心を調整ねじ４６のねじ中心軸線Ｐより後ろ側に偏寄する状態で配置し、基軸４１と揺動先端側のランナー軸１２との間の基軸４１寄りに雌ねじ体４５を配置している。このように、基軸４１の一側方に調整ねじ４６とランナー軸１２を設けると、前後調整機構の左右方向の全体長さが長くなるのを避けて、保持ケース９の左右幅寸法を小さくできる。
【００３０】
図６において上下調整機構は、区室３９に入り込むランナー軸１２を上下に調整操作する調整レバー５２と、調整レバー５２に組み込まれる雌ねじ板５３と、雌ねじ板５３にねじ込まれる調整ねじ５４、および調整ねじ５４の軸方向移動を規制するリテーナ板５５などで構成する。調整ねじ５４の操作頭部は、調整ハウジング１０の操作開口２８を介して、戸パネル３の側端外面に臨んでいる。調整レバー５２は、前後一対の逆Ｌ字状のレバー壁を備えたプレス金具からなり、レバー壁の縦腕壁５８の下部が区室３９を前後に貫通する揺動ピン５６で揺動可能に軸支してある。レバー壁を構成する横腕壁５７の先端が、ランナー軸１２の下端の段部１２ａを受け止めている。また、レバー壁を構成する縦腕壁５８の上部に鼓形の支持穴５９を形成し、この支持穴５９で雌ねじ板５３の左右動作を受け継ぐようにしている。
【００３１】
ランナー台１１、前後調整機構、および上下調整機構などが組み込まれた調整ハウジング１０は、保持ケース９に対してケース外側方から差し込み装填することで一体化される。この状態の調整ハウジング１０を分離不能にロック保持するために、保持ケース９と調整ハウジング１０との間にロック機構を設けている。
【００３２】
ロック機構は、調整ハウジング１０の内奥壁の下端に一体成形されるロックレバー６０と、ロックレバー６０に対応して保持ケース９に形成される係合凹部２１と、ロックレバー６０をロック解除操作する解除ボタン６１と、解除ボタン６１を調整ハウジング１０の外側方の待機姿勢へ向かって移動付勢するばね６２などで構成する。片持ち支持されるロックレバー６０の突端には、下向きに突設されて係合凹部２１と係脱するロック爪６３が設けてあり、このロック爪６３の近傍の前後に、解除ボタン６１で操作される受動ピン６４が一体に形成してある。
【００３３】
解除ボタン６１は、半円状の操作部６５と、操作部６５の上半部に連続する前後一対のスライド枠６６と、両スライド枠６６を前後に繋ぐばね受け枠６７とを一体に備えたプラスチック成形品からなり、両スライド枠６６を調整ハウジング１０の底壁の前後に設けたガイド溝１０ａで案内支持することにより、解除ボタン６１が調整ハウジング１０で左右スライド自在に支持してある。両スライド枠６６の内面には、先の受動ピン６４をロックレバー６０の弾性に抗して押し上げ操作する斜面カム６８が形成してある。ばね６２は圧縮コイル形のばねからなり、下部空間３６の内奥壁とばね受け枠６７との間に組み込まれて、解除ボタン６１の全体を調整ハウジング１０の外側方へ向かって押し出し付勢している。
【００３４】
解除ボタン６１を調整ハウジング１０に組み付けた状態においては、その操作部６５が調整ハウジング１０の側端面に臨んでおり（図３参照）、前後のスライド枠６６を橋絡するピン６９で、先のばね６２の付勢力に抗して抜け止め保持されている。この状態における受動ピン６４は、斜面カム６８の傾斜下端寄りで受け止められている。したがって、親指を指掛凹部３１にあてがい、図７に示すように人差指で解除ボタン６１をばね６２の付勢力に抗して押し込み操作すると、受動ピン６４が斜面カム６８でロックレバー６０の弾性に抗して押し上げられて、ロック爪６３と係合凹部２１との係合状態が解除されるので、調整ハウジング１０を保持ケース９から抜き外すことができる。
【００３５】
調整ハウジング１０を保持ケース９に装着するときは、調整ハウジング１０の段部３４および係合壁３５の上面が、保持ケース９の張出壁２３および位置決め溝２４で受け止められて、調整ハウジング１０のの上方移動が規制される。同時に、ロック爪６３が保持ケースの底壁９ｂに乗りあがった後、爪先が係合凹部２１に落ち込み係合する。したがって、ロックレバー６０をロック姿勢に保持し続けることができる。
【００３６】
図８および図９に振止めランナーユニットを示す。振止めランナーユニットは、床面に埋設したガイドレール２で左右方向へ走行案内される振止めローラー７１と、戸パネルの側に装着されて振止めローラー７１を上下動可能に支持する戸側下ユニット（戸側ユニット）とからなる。戸側下ユニットは、戸パネル３の下隅のに埋設固定される保持ケース９と、保持ケース９に外側方から差し込み装着される調整ハウジング１０と、調整ハウジング１０の内部に配置されるランナー台７２と、調整ハウジング１０とランナー台７２との間に設けられる前後調整機構と、保持ケース９と調整ハウジング１０との間に設けられるロック機構などで構成してある。
【００３７】
振止めローラー７１はローラー軸（連結軸）７３と、ローラー軸７３で回転自在に支持されるローラ（ランナー体）７４とで構成してある。振止めランナーユニットにおけるローラ７４は先に説明したランナー本体８に相当し、ローラー軸７３は先に説明したランナー軸１２に相当するので、本発明の各請求項におけるランナー体８はローラ７４を含み、連結軸１２はローラー軸７３を含むこととする。
【００３８】
戸側下ユニットを構成する保持ケース９、調整ハウジング１０、前後調整機構、およびロック機構は、先に説明した戸側ユニットの保持ケース９、調整ハウジング１０、前後調整機構、およびロック機構と同じ構造であり、上下を反転して使用する点が異なるだけであるので、同じ部材に同じ符号を付してその説明を省略する。
【００３９】
ランナー台７２は、先に説明したランナー台１１と基本的に同じであるが、上下調整機構を収容する必要がないので、区室３９と調整開口２８が省略してある。また、ランナー台７２の揺動先端寄りに、振止めローラー７１のローラー軸７３の上部と、振止めローラー７１を押し下げ付勢するばね７５を収容するばね室７６を形成し、その上面開口をビス７７で締結固定された蓋板７８で塞ぐ点が、先に説明したランナー台１１と異なる。他は先のランナー台１１と同じであり、上下を反転して使用する点が異なるだけであるので、同じ部材に同じ符号を付してその説明を省略する。なお、ローラー軸７３の中心軸線と、ランナー軸１２の中心軸線とは同一中心軸線上に位置している。
【００４０】
上記のように、戸側下ユニットにも前後調整機構を設けると、戸パネル３がそり変形するような場合にその全体を前後に調整移動して、隣接する戸パネル３・３どうしが接当干渉し、あるいは擦れあうのを確実に防止できる。
【００４１】
図１０ないし図１２は、ロック機構の別の実施例を示す。そこでは、調整ハウジング１０の下部空間３６に配置されるロックレバー８０と、ロックレバー８０に対応して保持ケース９に形成される係合凹部２１と、ロックレバー８０をロック姿勢に保持するガイド部２２（図１０参照）などでロック機構を構成する。ガイド部２２は、内奥壁９ａへ向かって上り傾斜させてある。ロックレバー８０は、一端に操作部８３を有し、他端に規制腕８４を備えた、緩やかに屈曲する逆ヘ字状のレバー体からなる。屈曲部分をレバー軸８５で前後に縦通支持することにより、ロックレバー８０の全体がシーソー状に上下揺動できる。レバー軸８５の前後端は、調整ハウジング１０の下端前後に設けた覆壁で支持されている。レバー軸８５の中心から規制腕８４の突端までの距離は、レバー軸８５の中心から操作部８３の突端までの距離より大きく設定してある。したがって、調整ハウジング１０を保持ケース９から取り外した状態では、ロックレバー８０の全体が規制腕８４の重量モーメントによって傾動する傾向がある。
【００４２】
ロックレバー８０を調整ハウジング１０に組み付けた状態においては、その操作部８３が戸パネル３の側面外方に臨んでいる（図１０参照）。操作部８３は門形に形成されており、その前後壁の間に上下方向に弾性変形可能なロック爪８６が一体に設けてある。ロック爪８６の下面には、係合凹部２１と係合する係合突起８７が突設してあり、これら両者２１・８７が係合することにより、調整ハウジング１０を保持ケース９に対して分離不能にロック保持できる。調整ハウジング１１を保持ケース９に差し込み装着した状態では、規制腕８４をガイド部２２で機械的にロック姿勢に切り換え操作してロック姿勢に保持できる。また、図１１に想像線で示すように、ロック爪８６を爪自体の弾性に抗して押し上げ操作し、係合突起８７を係合凹部２１から離脱させると、ロック状態が解除されて調整ハウジング１０を保持ケース９から抜き外すことができる。
【００４３】
図１１に示すように、ロック爪８６をロック解除操作した状態においては、ロックレバー８０の全体に時計回転方向のモーメントが作用するので、規制腕８４はガイド部２２と圧接して、ガイド部２２から圧接反力を受けている。この圧接反力の水平方向の分力は、調整ハウジング１０を保持ケース９から抜け出す方向と一致する。したがって、指掛凹部３１とロック爪８６の突端とを親指と人差し指とで挟持した状態で調整ハウジング１０を抜き出し操作するとき、規制腕８４に作用する圧接反力の水平分力で、調整ハウジング１０を保持ケース９から分離支援でき、その分だけより小さな力で調整ハウジング１０を簡単に取り外すことができる。
【００４４】
以上のように構成したロック機構は、以下の実施形態で実施することができる。ロック機構は、調整ハウジング１０でレバー軸８５を介して上下揺動自在に軸支されるロックレバー８０と、ロックレバー８０に対応して保持ケース９に形成される係合部２１とを含む。ロックレバー８０は、一端に前記係合部２１に落とし込み係合する弾性変形可能なロック爪８６を有し、他端に保持ケース９に設けたガイド部２２で操作される規制腕８４を備えている。以て、調整ハウジング１１を保持ケース９に差し込み装着した状態において、規制腕８４をガイド部２２でロック姿勢に保持する。ガイド部２２は、保持ケース９の底壁９ｂから内奥壁９ａへ向かって傾斜する状態で設ける。ロック爪８６をロック解除操作する状態において、規制腕８４がガイド部２２から受ける接当反力の分力で、調整ハウジング１０を保持ケース９から分離支援できるようにする。
【００４５】
上記の実施例では、基軸４１を調整ねじ４６のねじ中心軸線Ｐの後側に偏寄配置したが、その必要はなく、ねじ中心軸線Ｐの前側に偏寄配置することができる。保持ケース９の係合凹部２１に変えて係合突起を設け、ロック爪６３に変えて先の係合突起と係合する係合凹部を設けることができる。保持ケース９はダイキャスト成形品で形成することができる。上下調整機構は、一対の傘歯車や、ウォームギヤとラックなどを伝動要素にして構成することができる。
【図面の簡単な説明】
【００４６】
【図１】図６におけるＡ−Ａ線断面図である。
【図２】引戸の正面図である。
【図３】調整ハウジングと保持ケースを分離した状態の一部破断正面図である。
【図４】ガイドレールの縦断側面図である。
【図５】調整ハウジングとその内部に組み込まれる各部材の分解斜視図である。
【図６】戸側ユニットの縦断正面図である。
【図７】調整ハウジングの分離途中状態を示す縦断正面図である。
【図８】戸側下ユニットの側面図である。
【図９】戸側下ユニットの縦断正面図である。
【図１０】ロック機構の別の実施例を示す縦断正面図である。
【図１１】戸側下ユニットの縦断正面図である。
【図１２】戸側下ユニットの縦断正面図である。
【符号の説明】
【００４７】
３  戸パネル
９  保持ケース
１０  調整ハウジング
１１  ランナー台
１２  ランナー軸
４１  素軸
４５  雌ねじ体
４６  調整ねじ
【図１】
2008303653.tif 000003
【図２】
2008303653.tif 000004
【図３】
2008303653.tif 000005
【図４】
2008303653.tif 000006
【図５】
2008303653.tif 000007
【図６】
2008303653.tif 000008
【図７】
2008303653.tif 000009
【図８】
2008303653.tif 000010
【図９】
2008303653.tif 000011
【図１０】
2008303653.tif 000012
【図１１】
2008303653.tif 000013
【図１２】
2008303653.tif 000014